(57)【要約】【課題】全高調波を含む基本波の電流値測定と、任意の次数の高調波成分の電流値測定とを、容易に切り換えて簡便に行う。【解決手段】クランプ式電流測定装置（１）は、クランプ部（３）と、計測部（４）と、表示部（５）とを備える。計測部（４）は、基本波カット回路（４２）と、基本波カット回路をバイパスするバイパス回路（４３）と、基本波カット回路の出力またはバイパス回路の出力のいずれかを選択する切換回路（４４）と、基本波カット回路の出力高調波の中から選択されたｎ（ｎは奇数）次の高調波成分を抽出するｎ次高調波抽出回路（４６）と、バイパス回路を経て入力されたクランプ部の検出出力、または、基本波カット回路およびｎ次高調波抽出回路を経て入力されたクランプ部の検出出力を処理して電流値を求める処理部（４７）とを備える。【選択図】図４
2006308492.tif 000002
【特許請求の範囲】
【請求項１】
被測定ケーブルをクランプして電流を検出するクランプ部と、前記クランプ部で検出した電流を計測する計測部と、前記計測部で計測した電流値を表示する表示部とを備えたクランプ式電流測定装置において、
前記計測部が、
前記クランプ部の検出出力に含まれる基本波成分をカットする基本波カット回路と、
前記基本波カット回路をバイパスするバイパス回路と、
前記基本波カット回路の出力または前記バイパス回路の出力のいずれかを選択する切換回路と、
前記基本波カット回路の出力高調波の中からあらかじめ決められた複数の奇数次のうち選択されたｎ（ｎは奇数）次の高調波成分を抽出するｎ次高調波抽出回路と、
前記バイパス回路を経て入力された前記クランプ部の検出出力、または、前記基本波カット回路および前記ｎ次高調波抽出回路を経て入力された前記クランプ部の検出出力を処理して前記電流値を求める処理部と、
を備えたことを特徴とするクランプ式電流測定装置。
【請求項２】
被測定ケーブルをクランプして電流を検出するクランプ部と、前記クランプ部で検出した電流を計測する計測部と、前記計測部で計測した電流値を表示する表示部とを備えたクランプ式電流測定装置において、
前記計測部が、
前記クランプ部の検出出力に含まれる基本波成分をカットする基本波カット回路と、
前記基本波カット回路をバイパスするバイパス回路と、
前記基本波カット回路の出力または前記バイパス回路の出力のいずれかを選択する切換回路と、
前記基本波カット回路の出力高調波の中からあらかじめ決められた複数の奇数次のうち選択されたｎ（ｎは奇数）次の高調波成分を抽出するｎ次高調波抽出回路と、
前記バイパス回路を経て入力された前記クランプ部の検出出力、または、前記基本波カット回路および前記ｎ次高調波抽出回路を経て入力された前記クランプ部の検出出力を処理して前記電流値を求める処理部とを備え、
前記処理部が、処理対象の入力波形を選択するため前記切換回路および前記ｎ次高調波抽出回路に選択指令を出力することを特徴とするクランプ式電流測定装置。
【請求項３】
被測定ケーブルをクランプして電流を検出するクランプ部と、前記クランプ部で検出した電流を計測する計測部と、前記計測部で計測した電流値を表示する表示部と、操作部とを備えたクランプ式電流測定装置において、
前記計測部が、
前記クランプ部の検出出力に含まれる基本波成分をカットする基本波カット回路と、
前記基本波カット回路をバイパスするバイパス回路と、
前記基本波カット回路の出力または前記バイパス回路の出力のいずれかを選択する切換回路と、
前記基本波カット回路の出力高調波の中からあらかじめ決められた複数の次数のうち選択されたｎ次の高調波成分を抽出するｎ次高調波抽出回路と、
前記バイパス回路を経て入力された前記クランプ部の検出出力、または、前記基本波カット回路および前記ｎ次高調波抽出回路を経て入力された前記クランプ部の検出出力を処理して前記電流値を求める処理部とを備え、
前記操作部が、
前記処理部で処理する入力波形の種類を選択するモード選択スイッチと、
前記モード選択スイッチで選択されている入力波形の種類を表示するモード表示器と、
を備えたことを特徴とするクランプ式電流測定装置。
【請求項４】
被測定ケーブルをクランプして電流を検出するクランプ部と、前記クランプ部で検出した電流を計測する計測部と、前記計測部で計測した電流値を表示する表示部と、操作部とを備えたクランプ式電流測定装置において、
前記計測部が、
前記クランプ部の検出出力に含まれる基本波成分をカットする基本波カット回路と、
前記基本波カット回路をバイパスするバイパス回路と、
前記基本波カット回路の出力または前記バイパス回路の出力のいずれかを選択する切換回路と、
前記基本波カット回路の出力高調波の中からあらかじめ決められた複数の次数のうち選択されたｎ次の高調波成分を抽出するｎ次高調波抽出回路と、
前記バイパス回路を経て入力された前記クランプ部の検出出力、または、前記基本波カット回路および前記ｎ次高調波抽出回路を経て入力された前記クランプ部の検出出力を処理して前記電流値を求める処理部とを備え、
前記操作部が、
前記処理部で処理する入力波形の種類を選択するモード選択スイッチと、
前記モード選択スイッチで選択されている入力波形の種類を表示するモード表示器とを備え、
前記モード選択スイッチの操作に応じて、選択された種類の入力波形が前記処理部に入力するように、前記処理部が前記切換回路および前記ｎ次高調波抽出回路に選択指令を出力することを特徴とするクランプ式電流測定装置。
【請求項５】
前記ｎ次高調波抽出回路は、前記基本波カット回路の出力高調波の中からあらかじめ決められた複数の奇数次のうち選択されたｎ（ｎは奇数）次の高調波成分を抽出することを特徴とする請求項３または請求項４記載のクランプ式電流測定装置。
【請求項６】
前記計測部は、前記基本波カット回路の出力または前記バイパス回路の出力が当該計測部に許容される所定の許容範囲を超えたか否か監視する監視回路を備え、
前記監視回路が前記許容範囲の超過を検出したとき、前記処理部が前記表示部に当該許容範囲の超過を表示することを特徴とする請求項１〜５のいずれか１項に記載のクランプ式電流測定装置。
【請求項７】
前記基本波カット回路は、電源周波数成分をカットするノッチフィルタと、前記ｎ次高調波抽出回路で抽出される前記あらかじめ決められた複数の高調波成分の周波数特性をフラットに近づける周波数特性を有するフィルタとを備えたことを特徴とする請求項１〜６のいずれか１項に記載のクランプ式電流測定装置。
【発明の詳細な説明】
【技術分野】
【０００１】
この発明は、例えば、電気設備で使用中のケーブルに流れる電流を測定するクランプ式電流測定装置に関するものである。
【背景技術】
【０００２】
従来、このようなクランプ式電流測定装置は、被測定ケーブルをクランプして電流を検出するクランプ部と、クランプ部で検出した電流を計測する計測部と、計測部で計測した電流値を表示する表示部とを備えている（特許文献１、２参照）。
【特許文献１】実用新案登録第３０１２２７９号公報
【特許文献２】実用新案登録第３０４６００８号公報
【発明の開示】
【発明が解決しようとする課題】
【０００３】
しかしながら、上記のような従来のクランプ式電流測定装置は、全高調波を含む基本波の電流値測定と、任意の次数の高調波成分の電流値測定とを、容易に切り換えて簡便に行うことが難しいという課題があった。
【０００４】
また、従来のクランプ式電流測定装置は、電気設備においてとくに影響の大きい奇数次高調波成分だけを取り出してその電流値を測定するような構成とはなっていないため、奇数次高調波成分だけを容易に切り換えて簡便に電流値測定を行うことが難しいという課題があった。
【０００５】
さらに、従来のクランプ式電流測定装置は、測定する波形の種類を表示する表示器を備えた構成とはなっていないため、測定している波形が、全高調波を含む基本波であるのか、それとも高調波成分であるのか、また、高調波成分であれば何次の高調波成分であるのかを、一目で確認することが難しいという課題があった。
【０００６】
この発明は、上記課題を解決するために為されたものであり、全高調波を含む基本波の電流値測定と、任意の次数の高調波成分の電流値測定とを、容易に切り換えて簡便に行うことのできるクランプ式電流測定装置を提供することを目的とする。
【課題を解決するための手段】
【０００７】
この発明の請求項１に係るクランプ式電流測定装置は、被測定ケーブルをクランプして電流を検出するクランプ部と、前記クランプ部で検出した電流を計測する計測部と、前記計測部で計測した電流値を表示する表示部とを備えたクランプ式電流測定装置において、前記計測部が、前記クランプ部の検出出力に含まれる基本波成分をカットする基本波カット回路と、前記基本波カット回路をバイパスするバイパス回路と、前記基本波カット回路の出力または前記バイパス回路の出力のいずれかを選択する切換回路と、前記基本波カット回路の出力高調波の中からあらかじめ決められた複数の奇数次のうち選択されたｎ（ｎは奇数）次の高調波成分を抽出するｎ次高調波抽出回路と、前記バイパス回路を経て入力された前記クランプ部の検出出力、または、前記基本波カット回路および前記ｎ次高調波抽出回路を経て入力された前記クランプ部の検出出力を処理して前記電流値を求める処理部と、を備えたものである。
【０００８】
この発明の請求項２に係るクランプ式電流測定装置は、被測定ケーブルをクランプして電流を検出するクランプ部と、前記クランプ部で検出した電流を計測する計測部と、前記計測部で計測した電流値を表示する表示部とを備えたクランプ式電流測定装置において、前記計測部が、前記クランプ部の検出出力に含まれる基本波成分をカットする基本波カット回路と、前記基本波カット回路をバイパスするバイパス回路と、前記基本波カット回路の出力または前記バイパス回路の出力のいずれかを選択する切換回路と、前記基本波カット回路の出力高調波の中からあらかじめ決められた複数の奇数次のうち選択されたｎ（ｎは奇数）次の高調波成分を抽出するｎ次高調波抽出回路と、前記バイパス回路を経て入力された前記クランプ部の検出出力、または、前記基本波カット回路および前記ｎ次高調波抽出回路を経て入力された前記クランプ部の検出出力を処理して前記電流値を求める処理部とを備え、前記処理部が、処理対象の入力波形を選択するため前記切換回路および前記ｎ次高調波抽出回路に選択指令を出力することを特徴とするものである。
【０００９】
この発明の請求項３に係るクランプ式電流測定装置は、被測定ケーブルをクランプして電流を検出するクランプ部と、前記クランプ部で検出した電流を計測する計測部と、前記計測部で計測した電流値を表示する表示部と、操作部とを備えたクランプ式電流測定装置において、前記計測部が、前記クランプ部の検出出力に含まれる基本波成分をカットする基本波カット回路と、前記基本波カット回路をバイパスするバイパス回路と、前記基本波カット回路の出力または前記バイパス回路の出力のいずれかを選択する切換回路と、前記基本波カット回路の出力高調波の中からあらかじめ決められた複数の次数のうち選択されたｎ次の高調波成分を抽出するｎ次高調波抽出回路と、前記バイパス回路を経て入力された前記クランプ部の検出出力、または、前記基本波カット回路および前記ｎ次高調波抽出回路を経て入力された前記クランプ部の検出出力を処理して前記電流値を求める処理部とを備え、前記操作部が、前記処理部で処理する入力波形の種類を選択するモード選択スイッチと、前記モード選択スイッチで選択されている入力波形の種類を表示するモード表示器と、を備えたものである。
【００１０】
この発明の請求項４に係るクランプ式電流測定装置は、被測定ケーブルをクランプして電流を検出するクランプ部と、前記クランプ部で検出した電流を計測する計測部と、前記計測部で計測した電流値を表示する表示部と、操作部とを備えたクランプ式電流測定装置において、前記計測部が、前記クランプ部の検出出力に含まれる基本波成分をカットする基本波カット回路と、前記基本波カット回路をバイパスするバイパス回路と、前記基本波カット回路の出力または前記バイパス回路の出力のいずれかを選択する切換回路と、前記基本波カット回路の出力高調波の中からあらかじめ決められた複数の次数のうち選択されたｎ次の高調波成分を抽出するｎ次高調波抽出回路と、前記バイパス回路を経て入力された前記クランプ部の検出出力、または、前記基本波カット回路および前記ｎ次高調波抽出回路を経て入力された前記クランプ部の検出出力を処理して前記電流値を求める処理部とを備え、前記操作部が、前記処理部で処理する入力波形の種類を選択するモード選択スイッチと、前記モード選択スイッチで選択されている入力波形の種類を表示するモード表示器とを備え、前記モード選択スイッチの操作に応じて、選択された種類の入力波形が前記処理部に入力するように、前記処理部が前記切換回路および前記ｎ次高調波抽出回路に選択指令を出力することを特徴とするものである。
【００１１】
この発明の請求項５に係るクランプ式電流測定装置は、請求項３または請求項４記載のクランプ式電流測定装置において、前記ｎ次高調波抽出回路は、前記基本波カット回路の出力高調波の中からあらかじめ決められた複数の奇数次のうち選択されたｎ（ｎは奇数）次の高調波成分を抽出することを特徴とするものである。
【００１２】
この発明の請求項６に係るクランプ式電流測定装置は、請求項１〜５のいずれか１項に記載のクランプ式電流測定装置において、前記計測部は、前記基本波カット回路の出力または前記バイパス回路の出力が当該計測部に許容される所定の許容範囲を超えたか否か監視する監視回路を備え、前記監視回路が前記許容範囲の超過を検出したとき、前記処理部が前記表示部に当該許容範囲の超過を表示することを特徴とするものである。
【００１３】
この発明の請求項７に係るクランプ式電流測定装置は、請求項１〜６のいずれか１項に記載のクランプ式電流測定装置において、前記基本波カット回路は、電源周波数成分をカットするノッチフィルタと、前記ｎ次高調波抽出回路で抽出される前記あらかじめ決められた複数の高調波成分の周波数特性をフラットに近づける周波数特性を有するフィルタとを備えたことを特徴とするものである。
【発明の効果】
【００１４】
この発明は以上のように、被測定ケーブルをクランプして電流を検出するクランプ部と、前記クランプ部で検出した電流を計測する計測部と、前記計測部で計測した電流値を表示する表示部とを備えたクランプ式電流測定装置において、前記計測部が、前記クランプ部の検出出力に含まれる基本波成分をカットする基本波カット回路と、前記基本波カット回路をバイパスするバイパス回路と、前記基本波カット回路の出力または前記バイパス回路の出力のいずれかを選択する切換回路と、前記基本波カット回路の出力高調波の中からあらかじめ決められた複数の奇数次のうち選択されたｎ（ｎは奇数）次の高調波成分を抽出するｎ次高調波抽出回路と、前記バイパス回路を経て入力された前記クランプ部の検出出力、または、前記基本波カット回路および前記ｎ次高調波抽出回路を経て入力された前記クランプ部の検出出力を処理して前記電流値を求める処理部とを備えた構成としたので、全高調波を含む基本波の電流値測定と、任意の次数の高調波成分の電流値測定とを、容易に切り換えて簡便に行うことができる効果がある。
【発明を実施するための最良の形態】
【００１５】
この発明の実施の形態を、図面を参照して説明する。
【００１６】
図１は、この発明によるクランプ式電流測定装置の一実施形態を示す正面図であり、このクランプ式電流測定装置１は、筐体２の先端に設けたクランプ部３と、筐体２の内部に設けた計測部４と、筐体２の表面に設けたパネル２ａに配置した表示部５と、操作部６とを備えている。
【００１７】
クランプ部３は、被測定ケーブルをクランプして電流を検出するものであり、そのため、開閉可能な環状に形成したクランプ部３の内部にクランプ部形状に倣い分割した環状の鉄心に巻線加工したＣＴ（変流器）（図示せず）やＺＣＴ（零相変流器）３１を備え、開閉スライドノブ３２をスライドすることで開閉可能に構成されている。
【００１８】
計測部４は、クランプ部３で検出した電流を計測するものであり、そのため、図４に示すような回路で構成されている。
【００１９】
図４に示すように、計測部４は、ＺＣＴ３１で検出し負担抵抗４１で電流を電圧に変換されたクランプ部３の検出出力に含まれる基本波成分をカットする基本波カット回路４２と、基本波カット回路４２をバイパスするバイパス回路４３と、基本波カット回路４２の出力またはバイパス回路４３の出力のいずれかを選択する切換回路（切換スイッチ）４４とを備えている。
【００２０】
また、計測部４は、切換回路４４の出力を増幅する増幅回路４５と、増幅回路４５で増幅された基本波カット回路４２の出力高調波の中から、あらかじめ決められた複数の次数のうち選択されたｎ次の高調波成分を抽出するｎ次高調波抽出回路（バンドパスフィルタ）４６とを備えている。
【００２１】
また、計測部４は、バイパス回路４３を経て増幅回路４５で増幅され入力されたクランプ部３の検出出力、または、基本波カット回路４２を経て増幅回路４５で増幅され、さらにｎ次高調波抽出回路４６を経て入力されたクランプ部３の検出出力を処理して電流値を求める処理部（ＣＰＵ）４７を備えている。
【００２２】
さらに、計測部４は、増幅回路４５で増幅された基本波カット回路４２の出力、または増幅回路４５で増幅されたバイパス回路４３の出力が、計測部４に許容される所定の許容範囲を超えたか否か、すなわち飽和したか否かを監視する監視回路４８を備えている。
【００２３】
以上のような計測部４のうち、基本波カット回路４２について説明する。
【００２４】
基本波カット回路４２は、電源周波数成分（基本波成分）をカットする６０Ｈｚ用ノッチフィルタ４２１および５０Ｈｚ用ノッチフィルタ４２２と、ｎ次高調波抽出回路４６で抽出されるあらかじめ決められた複数の高調波成分の周波数特性をフラットに近づける周波数特性を有するローカットフィルタ４２３とを備えている。
【００２５】
一般に、６０Ｈｚ用ノッチフィルタ４２１の特性および５０Ｈｚ用ノッチフィルタ４２２の特性は、いずれも理想的ではありえず、特定の周波数特性を持つことが避けられない。このノッチフィルタ４２１，４２２で生じた周波数特性を修正するために、ローカットフィルタ４２３を設ける必要がある。
【００２６】
ローカットフィルタ４２３に特定の周波数特性を持たせることで、ｎ次高調波抽出回路４６で抽出されるあらかじめ決められた複数の高調波成分（例えば、３次、５次、７次、９次）の周波数特性をフラットに近づけるものである。
【００２７】
すなわち、このクランプ式電流測定装置１は、携帯可能な可搬式のものであるため、クランプ式電流測定装置１自身のコンパクト化や電池による長時間駆動の必要があり、選択できる処理部（ＣＰＵ）４７の仕様に制限があり、比較的低ビット数のものしか使用することができない。
【００２８】
このような場合、ノッチフィルタ４２１，４２２を単に通過させただけの非フラット特性の出力で高調波電流を測定しようとすると、例えば３次高調波では処理部（ＣＰＵ）４７内のＡ／Ｄコンバータに入る値が低くなるため分解能が不足（精度が悪化）する。
【００２９】
これを防ぐため、ローカットフィルタ４２３によって３次高調波を中心に持ち上げる（Ｑを上げる）ことにより、周波数をフラットにし、分解能の悪化を防止することができる。
【００３０】
図５〜図１２に、ノッチフィルタ４２１，４２２、ローカットフィルタ４２３の各特性例およびそれらの総合特性例を、標準的な特性のローカットフィルタの場合と比較して具体的に示す。
【００３１】
図５は、６０Ｈｚ用ノッチフィルタ４２１の特性をｄｂ表示で示す。この図から明らかなように、理想的な素子であれば、基本波（６０Ｈｚ）を４０ｄｂ（１／１００）以下にカットできることがわかる。
【００３２】
図６は、５０Ｈｚ用ノッチフィルタ４２２の特性をｄｂ表示で示す。この図から明らかなように、理想的な素子であれば、基本波（５０Ｈｚ）を５０ｄｂ（１／３００）程度にカットできることがわかる。
【００３３】
図７は、ローカットフィルタ４２３のみの特性をｄｂ表示で示す。この図から明らかなように、ローカットフィルタ４２３によって、１５０Ｈｚ付近の特性がアップしている。
【００３４】
図８は、ノッチフィルタ４２１，４２２およびローカットフィルタ４２３の総合特性をｄｂ表示で示す。
【００３５】
図９は、図８と同じ総合特性をｄｂ表示ではなく、倍率（１．５倍等）表示で示す。この図には、３次、５次、７次、９次の高調波の周波数とレベルが記入してある。
【００３６】
図１０は、標準的な特性のローカットフィルタのみの特性をｄｂ表示で示す。図７に示すローカットフィルタ４２３と比較すると、両者の特性は明らかに相違している。
【００３７】
図１１は、図１０に示す特性のローカットフィルタにノッチフィルタ４２１，４２２を加えた総合特性をｄｂ表示で示す。図８に示す総合特性と比較すると、１５０Ｈｚ付近の特性に違いのあることがわかる。
【００３８】
図１２は、図１１と同じ総合特性をｄｂ表示ではなく、倍率（１．５倍等）表示で示す。この図には、３次、５次、７次、９次の高調波の周波数とレベルが記入してある。
【００３９】
図１２に示す総合特性と図９に示す総合特性とを比較すると、１５０Ｈｚ付近のレベルが大きく違うことが明らかである。
【００４０】
また、ｎ次高調波抽出回路４６は、連続した次数の高調波成分を抽出するものでもよいが、増幅回路４５で増幅された基本波カット回路４２の出力高調波の中から、あらかじめ決められた複数の奇数次のうち選択されたｎ（ｎは奇数）次の高調波成分を抽出するものであることが好ましい。
【００４１】
また、処理部（ＣＰＵ）４７は、バイパス回路４３を経て入力されるか、または、基本波カット回路４２およびｎ次高調波抽出回路４６を経て入力されたクランプ部３の検出出力をＡ／Ｄ変換するＡ／Ｄ変換処理部４７１と、基本波カット回路４２およびｎ次高調波抽出回路４６を経て入力されたＡ／Ｄ変換処理部４７１の出力を演算処理して電流値を求める演算処理部４７２とを備えている。
【００４２】
また、処理部４７は、処理対象の入力波形を選択するため、切換回路４４およびｎ次高調波抽出回路４６に選択指令を出力するようになっている。
【００４３】
また、監視回路４８は、波形のクリップを検出するものである。すなわち、監視回路４８は、増幅回路４５で増幅された基本波カット回路４２の出力、または増幅回路４５で増幅されたバイパス回路４３の出力が、計測部４（とくに処理部（ＣＰＵ）４７）に許容される所定の許容範囲を超えた（飽和した）とき、これを検出するものである。
【００４４】
すなわち、計測部４（とくに処理部（ＣＰＵ）４７）が飽和した場合、そのときの測定値（表示値）は頭打ち（クリップ）となっているから、表示部５には正確な演算結果ではなく、でたらめな値が表示されてしまう。
【００４５】
そこで、監視回路４８が常時監視して、この飽和状態を検出し、処理部４７を通じて表示部５に表示することで、クランプ式電流測定装置１の使用者に、そのときの測定値（表示値）が正常な測定結果ではないことを示して、再測定を促すことができる。なお、本実施の形態の一例としては、処理部（ＣＰＵ）４７内のＡ／Ｄコンバータの飽和限界が±２．５ｖであるので、前記所定の許容範囲を±２．４ｖに設定している。
【００４６】
表示部５は、計測部４で計測した電流値を表示するものであり、そのため、図２、図３に示すようなＬＣＤ（液晶）表示器５１を備えている。
【００４７】
図３に示すように、ＬＣＤ表示器５１は、計測部４で計測した電流値すなわち測定値を表示する他、監視回路４８が飽和したことを検出したとき、「飽和状態」を示す記号（例えば、斜め上向き矢印）を測定値（表示値）の横に表示するようになっている。
【００４８】
操作部６は、クランプ式電流測定装置１の使用者がスイッチ操作するものであり、そのため、図２に示すような操作スイッチ６１およびモード表示ＬＥＤ（モード表示器）６２を備えている。
【００４９】
図２に示すように、操作スイッチ６１は、電源スイッチ６１１、モード選択スイッチ６１２、レンジ切換スイッチ６１３、最大値測定スイッチ６１４、およびスキャンスイッチ６１５を備えている。
【００５０】
電源スイッチ６１１は、押すと電源がＯＮし、一定時間（例えば１秒）以上押し続けると電源がＯＦＦするようになっている。
【００５１】
モード選択スイッチ６１２は、処理部４７で処理する入力波形の種類を選択するものであり、押すごとに、基本波→３次高調波→５次高調波→７次高調波→９次高調波→基本波とエンドレスで測定モードが切り替わるようになっている。
【００５２】
レンジ切換スイッチ６１３は、電源ＯＮ直後のオートレンジ状態を、このレンジ切換スイッチ６１３を押すことでマニュアルモードに切り換え、以後、押すごとにエンドレスでレンジアップするものであり、一定時間（例えば１秒）以上押し続けるとオートレンジに復帰させるようになっている。
【００５３】
最大値測定スイッチ６１４は、押すと現在の測定モードでの測定最大値を表示・記憶するものであり、一定時間（例えば１秒）以上押し続けると最大値測定を終了するようになっている。
【００５４】
スキャンスイッチ６１５は、基本波を除いた高調波のみを自動的にスキャンし、最も測定値の高い高調波モードに移って測定するようになっている。
【００５５】
また、モード表示ＬＥＤ６２は、モード選択スイッチ６１２で選択されている入力波形の種類を表示するものであり、基本波表示ＬＥＤ６２１、３次高調波表示ＬＥＤ６２２、５次高調波表示ＬＥＤ６２３、７次高調波表示ＬＥＤ６２４、および９次高調波表示ＬＥＤ６２５を備えている。６２６は最大値測定ＬＥＤである。
【００５６】
そのため、モード選択スイッチ６１２の操作に応じて、選択された種類の入力波形が処理部４７に入力するように、処理部４７が切換回路４４およびｎ次高調波抽出回路４６に選択指令を出力するようになっている。
【００５７】
すなわち、モード選択スイッチ６１２で基本波が選択されると、処理部４７が、基本波表示ＬＥＤ６２１を点灯させるとともに、切換回路４４をバイパス回路４３側に選択して、クランプ部３の検出出力がバイパス回路４３を経て増幅回路４５で増幅され入力されるようにし、この入力波形を処理して電流値を求める。
【００５８】
また、モード選択スイッチ６１２で３次高調波が選択されると、処理部４７が、３次高調波表示ＬＥＤ６２２を点灯させるとともに、切換回路４４を基本波カット回路４２側に選択して、クランプ部３の検出出力が基本波カット回路４２を経て増幅回路４５で増幅されるようにし、さらに、ｎ次高調波抽出回路４６を３次高調波抽出回路に選択して、増幅回路４５で増幅された基本波カット回路４２の出力高調波の中から３次高調波成分が抽出され入力されるようにし、この入力波形を処理して電流値を求める。
【００５９】
また、モード選択スイッチ６１２で５次高調波が選択されると、処理部４７が、５次高調波表示ＬＥＤ６２３を点灯させるとともに、切換回路４４を基本波カット回路４２側に選択したまま、ｎ次高調波抽出回路４６を５次高調波抽出回路に選択して、クランプ部３の検出出力が基本波カット回路４２を経て増幅回路４５で増幅され、増幅された基本波カット回路４２の出力高調波の中から５次高調波成分が抽出され入力されるようにし、この入力波形を処理して電流値を求める。
【００６０】
また、モード選択スイッチ６１２で７次高調波が選択されると、処理部４７が、７次高調波表示ＬＥＤ６２４を点灯させるとともに、切換回路４４を基本波カット回路４２側に選択したまま、ｎ次高調波抽出回路４６を７次高調波抽出回路に選択して、クランプ部３の検出出力が基本波カット回路４２を経て増幅回路４５で増幅され、増幅された基本波カット回路４２の出力高調波の中から７次高調波成分が抽出され入力されるようにし、この入力波形を処理して電流値を求める。
【００６１】
また、モード選択スイッチ６１２で９次高調波が選択されると、処理部４７が、９次高調波表示ＬＥＤ６２５を点灯させるとともに、切換回路４４を基本波カット回路４２側に選択したまま、ｎ次高調波抽出回路４６を９次高調波抽出回路に選択して、クランプ部３の検出出力が基本波カット回路４２を経て増幅回路４５で増幅され、増幅された基本波カット回路４２の出力高調波の中から９次高調波成分が抽出され入力されるようにし、この入力波形を処理して電流値を求める。
【００６２】
さらに、モード選択スイッチ６１２で再び基本波が選択されると、処理部４７が、基本波表示ＬＥＤ６２１を点灯させるとともに、切換回路４４をバイパス回路４３側に選択して、クランプ部３の検出出力がバイパス回路４３を経て増幅回路４５で増幅され入力されるようにし、この入力波形を処理して電流値を求める。
【００６３】
そして、基本波、３次高調波、５次高調波、７次高調波、９次高調波いずれの測定の場合も、監視回路４８が飽和状態を検出してＬＣＤ表示器５１に「飽和状態」を示す記号（例えば、斜め上向き矢印）が表示されたときは、クランプ式電流測定装置１の使用者は、レンジ切換スイッチ６１３を押してレンジアップすることで、適正なレンジで測定値を表示させることができる。
【００６４】
このように、ＬＣＤ表示器５１の測定値（表示値）をつねに適正なレンジで表示させることにより、測定値（表示値）の分解能を高めることができる。
【００６５】
上記のクランプ式電流測定装置１によれば、全高調波を含む基本波の電流値測定と、任意の次数の高調波成分の電流値測定とを、容易に切り換えて簡便に行うことができる。
【００６６】
また、上記のクランプ式電流測定装置１によれば、電気設備においてとくに影響の大きい奇数次高調波成分（例えば、３次、５次、７次、９次）だけを取り出してその電流値を測定することができるため、奇数次高調波成分だけを容易に切り換えて簡便に電流値測定を行うことができる。
【００６７】
さらに、上記のクランプ式電流測定装置１によれば、測定する波形の種類を表示するモード表示器６２を備えているため、測定している波形が、全高調波を含む基本波であるのか、それとも高調波成分であるのか、また、高調波成分であれば何次の高調波成分であるのかを、一目で確認することができる。
【図面の簡単な説明】
【００６８】
【図１】この発明によるクランプ測定装置の一実施形態を示す正面図である。
【図２】図１のクランプ測定装置の表示部および操作部を示す正面図である。
【図３】図２の表示部の表示の一例を示す正面図である。
【図４】図１のクランプ測定装置の計測部を示すブロック回路図である。
【図５】６０Ｈｚ用ノッチフィルタの特性をｄｂ表示で示すグラフである。
【図６】５０Ｈｚ用ノッチフィルタの特性をｄｂ表示で示すグラフである。
【図７】図１のクランプ測定装置で用いるローカットフィルタの特性をｄｂ表示で示すグラフである。
【図８】図５、図６、図７の総合特性をｄｂ表示で示すグラフである。
【図９】図８の総合特性を倍率表示で示すグラフである。
【図１０】標準的なローカットフィルタの特性をｄｂ表示で示すグラフである。
【図１１】図１０と図５、図６の総合特性をｄｂ表示で示すグラフである。
【図１２】図１０の総合特性を倍率表示で示すグラフである。
【符号の説明】
【００６９】
１  クランプ式電流測定装置
２  筐体
２ａ  パネル
３  クランプ部
３１  ＺＣＴ（零相変流器）
３２  開閉スライドノブ
４  計測部
４１  負担抵抗
４２  基本波カット回路
４２１  ６０Ｈｚ用ノッチフィルタ
４２２  ５０Ｈｚ用ノッチフィルタ
４２３  ローカットフィルタ
４３  バイパス回路
４４  切換回路（切換スイッチ）
４５  増幅回路
４６  ｎ次高調波抽出回路（バンドパスフィルタ）
４７  処理部（ＣＰＵ）
４７１  Ａ／Ｄ変換処理部
４７２  演算処理部
４８  監視回路
５  表示部
５１  ＬＣＤ（液晶）表示器
６  操作部
６１  操作スイッチ
６１１  電源スイッチ
６１２  モード選択スイッチ
６１３  レンジ切換スイッチ
６１４  最大値測定スイッチ
６１５  スキャンスイッチ
６２  モード表示ＬＥＤ（モード表示器）
６２１  基本波表示ＬＥＤ
６２２  ３次高調波表示ＬＥＤ
６２３  ５次高調波表示ＬＥＤ
６２４  ７次高調波表示ＬＥＤ
６２５  ９次高調波表示ＬＥＤ
６２６  最大値測定ＬＥＤ
【図１】
2006308492.tif 000003
【図２】
2006308492.tif 000004
【図３】
2006308492.tif 000005
【図４】
2006308492.tif 000006
【図５】
2006308492.tif 000007
【図６】
2006308492.tif 000008
【図７】
2006308492.tif 000009
【図８】
2006308492.tif 000010
【図９】
2006308492.tif 000011
【図１０】
2006308492.tif 000012
【図１１】
2006308492.tif 000013
【図１２】
2006308492.tif 000014